(57)【要約】  移動通信システムにおける端末機（ＵＥ）が測定を実行する方法及び装置を提供する。ＵＥは、不連続受信モード（ＤＲＸ）と連続受信モードとを有する。また、移動通信システムは、ＵＥが位置したサービングセルと上記サービングセルと隣接して位置した隣接セルとを有する。上記サービングセルの信号強度は、ＤＲＸモードの周期に従って測定される。上記測定されたサービングセルの信号強度が特定の閾値より小さいか又は同一である場合、上記信号強度測定は、連続的に実行される。他方、上記測定されたサービングセルの信号強度が上記特定の閾値より大きい場合、上記連続的な信号強度測定は中止され、上記サービングセルの信号強度は、上記ＤＲＸモードの周期に従って測定される。
2010512098.tif 000002
【特許請求の範囲】
【請求項１】
不連続的にデータを受信する不連続受信（ＤＲＸ）モード及び連続的にデータを受信する連続受信モードを有する端末機（ＵＥ）と、前記端末機が位置したサービングセルと、前記サービングセルと隣接して位置した隣接セルとを含む移動通信システムにおける前記端末機が測定を実行する方法であって、
前記不連続受信モードの周期に従って前記サービングセルの信号強度を測定するステップと、
前記測定されたサービングセルの信号強度が特定の閾値より小さいか又は同一である場合、前記サービングセル及び前記隣接セルに対する信号強度測定を連続的に実行するステップと、
前記測定されたサービングセルの信号強度が前記特定の閾値より大きい場合、前記連続的な信号強度測定を中止し、前記不連続受信モードの周期に従って前記サービングセルの信号強度を測定するステップと、
を含むことを特徴とする測定実行方法。
【請求項２】
前記信号強度測定を連続的に実行するステップは、前記不連続受信モードの周期より短い周期で前記信号強度を測定するステップを含むことを特徴とする請求項１に記載の測定実行方法。
【請求項３】
不連続的にデータを受信する不連続受信モード（ＤＲＸ）及び連続的にデータを受信する連続受信モードを有する端末機（ＵＥ）と、前記端末機が位置したサービングセルと、前記サービングセルと隣接して位置した隣接セルとを含む移動通信システムにおける前記端末機が測定を実行する方法であって、
前記不連続受信モードの周期に従って前記サービングセルの信号強度を測定するステップと、
前記測定されたサービングセルの信号強度が特定の閾値より小さいか又は同一である場合、前記サービングセル及び前記隣接セルに対する信号強度測定を連続的に実行するステップと、
前記測定された隣接セルの信号強度が前記測定されたサービングセルの信号強度より大きいか又は同一である場合、測定結果を前記サービングセルに送信するためのタイマーを開始させるステップと、
前記タイマーが終了されるまで前記隣接セルの信号強度が前記サービングセルの信号強度より大きいか又は同一である場合、前記測定結果を前記サービングセルに送信するステップと、
を含むことを特徴とする測定実行方法。
【請求項４】
前記信号強度測定を連続的に実行するステップは、前記不連続受信モードの周期より短い周期で前記信号強度を測定するステップを含むことを特徴とする請求項３に記載の測定実行方法。
【請求項５】
前記測定結果は、前記測定された信号強度と前記隣接セルの識別子（ＩＤ）情報とを含むことを特徴とする請求項３に記載の測定実行方法。
【請求項６】
前記タイマーは、カウンターを含むことを特徴とする請求項３に記載の測定実行方法。
【請求項７】
不連続的にデータを受信する不連続受信（ＤＲＸ）モード及び連続的にデータを受信する連続受信モードを有する端末機（ＵＥ）と、前記端末機が位置したサービングセルと、前記サービングセルと隣接して位置した隣接セルとを含む移動通信システムにおける前記端末機が測定を実行する方法であって、
前記不連続受信モードの周期に従って前記サービングセル及び前記隣接セルの信号強度を測定するステップと、
前記測定されたサービングセル及び前記隣接セルの信号強度間の差が特定の閾値より小さいか又は同一である場合、前記サービングセル及び前記隣接セルに対する信号強度測定を連続的に実行するステップと、
前記連続的に測定されるサービングセル及び前記隣接セルの信号強度間の差が前記特定の閾値より大きい場合、前記連続的な信号強度測定を中止し、前記不連続受信モードの周期に従って前記サービングセル及び前記隣接セルの信号強度を測定するステップと、
を含むことを特徴とする測定実行方法。
【請求項８】
前記信号強度測定を連続的に実行するステップは、前記不連続受信モードの周期より短い周期で前記信号強度を測定するステップを含むことを特徴とする請求項７に記載の測定実行方法。
【請求項９】
不連続的にデータを受信する不連続受信（ＤＲＸ）モード及び連続的にデータを受信する連続受信モードを有する端末機（ＵＥ）と、前記端末機が位置したサービングセルと、前記サービングセルと隣接して位置した隣接セルとを含む移動通信システムにおける効率的な測定を実行するための端末装置であって、
制御情報及びデータを送受信する送受信部と、
前記不連続受信モードの周期を制御する不連続受信モード制御部と、
前記サービングセルの信号強度を測定し、前記測定されたサービングセルの信号強度に従って前記サービングセルの信号強度の測定周期を制御する測定部とを含むことを特徴とする端末装置。
【請求項１０】
前記測定部は、
前記測定されたサービングセルの信号強度が特定の閾値より小さいか又は同一である場合、前記サービングセル及び前記隣接セルに対する信号強度測定を連続的に実行し、
前記連続的に測定されるサービングセルの信号強度が前記特定の閾値より大きい場合、前記連続的な信号強度測定を中止し、前記不連続受信モードの周期に従って前記サービングセルの信号強度測定を実行することを特徴とする請求項９に記載の端末装置。
【請求項１１】
前記測定部は、
前記測定されたサービングセルの信号強度が前記特定の閾値より小さいか又は同一である場合、前記サービングセル及び前記隣接セルに対する信号強度測定を連続的に実行し、
前記連続的に測定された隣接セルの信号強度が前記連続的に測定されたサービングセルの信号強度より大きいか又は同一である場合、測定結果を前記サービングセルに送信するためのタイマーを開始させ、
前記タイマーが終了されるまで前記隣接セルの信号強度が前記サービングセルの信号強度より大きいか又は同一である場合、前記送受信部を介して前記測定結果を前記サービングセルに送信することを特徴とする請求項９に記載の端末装置。
【請求項１２】
前記測定結果は、前記測定された信号強度と前記隣接セルの識別子（ＩＤ）情報とを含むことを特徴とする請求項１１に記載の端末装置。
【請求項１３】
前記タイマーは、カウンターを含むことを特徴とする請求項１１に記載の端末装置。
【請求項１４】
前記測定部は、
パイロットチャネルを受信し、測定を実行する測定実行部と、
前記測定実行部の測定結果を管理し、信号強度の判定のための閾値を使用して無線環境の変化を検出する測定結果管理部と、
前記測定結果管理部の検出結果に従って前記測定の周期を制御する測定実行制御部とを含むことを特徴とする請求項９に記載の端末装置。
【発明の詳細な説明】
【技術分野】
【０００１】
本発明は、移動通信システムに関し、特に、不連続受信（Discontinuous Reception：以下、“ＤＲＸ”と称する。）サイクルを有し、無線資源制御（Radio Resource Control：以下、“ＲＲＣ”と称する。）接続モードにある端末機（ＵＥ）の測定方法及び装置に関する。
【背景技術】
【０００２】
ユニバーサル移動通信サービス（Universal Mobile Telecommunication Service：以下、“ＵＭＴＳ”と称する。）システムは、ヨーロッパ方式の移動通信システムである移動通信用グローバルシステム（Global System for Mobile Communications：ＧＳＭ）及び汎用パケット無線サービス（General Packet Radio Services：ＧＰＲＳ）に基づいており、広帯域符号分割多重接続（Wideband Code Division Multiple Access：以下、“ＷＣＤＭＡ”と称する。）を使用する第３世代非同期移動通信システムである。
【０００３】
ＵＭＴＳ標準化を担当している第３世代パートナーシッププロジェクト（3rd Generation Partnership Project：以下、“３ＧＰＰ”と称する。）において、ロングタームエボルーション（Long Term Evolution：以下、“ＬＴＥ”と称する。）は、ＵＭＴＳシステムの次世代移動通信システムとして議論が進んでいる。ＬＴＥシステムは、２０１０年ごろに商用化することを目標にしており、１００Ｍｂｐｓ程度の最大送信速度を有する高速パケット基盤通信を実現するための技術である。このために、様々な方法が論議されている。例えば、ネットワーク構成を簡素化することにより、通信経路上のノードの数を減少させる方式及び無線プロトコルを無線チャネルに最大に近接させる方式などがある。
【０００４】
図１は、本発明が適用可能なＬＴＥシステムの構成を示す図である。
【０００５】
図１を参照すると、次世代無線アクセスネットワーク（Evolved Radio Access Network：以下，“Ｅ-ＲＡＮ”と称する。）１１０は、次世代基地局（Evolved Node B：以下、“ＥＮＢ”と称する。）１２０、１２２、１２４、１２６、及び１２８と、アンカーノード１３０、１３２との２ノード構造に簡素化される。ユーザー端末機（User Equipment：以下、“ＵＥ”又は“端末機”と称する。）１０１は、Ｅ-ＲＡＮ１１０を介してインターネットプロトコル（Internet Protocol：以下、“ＩＰ”と称する。）ネットワークに接続することができる。
【０００６】
ＥＮＢ１２０乃至１２８は、第３世代システムの既存の基地局（Node B）に対応し、無線チャネルを介してＵＥ１０１と通信することができる。既存のノードＢに比べて、ＥＮＢ１２０乃至１２８は、より複雑な機能を実行するのであろう。これは、ボイスオーバーインターネットプロトコル（Voice over IP：以下、“ＶｏＩＰ”と称する。）のような実時間サービスを含む全てのユーザトラフィックは、共用チャネル（ＳＣＨ）を介してサービスされるためである。したがって、複数のＵＥのステータス情報を収集し、スケジューリングを実行する装置が必要であることを意味し、ＥＮＢ１２０乃至１２８がこのスケジューリングを担当する。各ＥＮＢは、複数のセルを制御することができる。
【０００７】
ＥＮＢ１２０乃至１２８は、ＵＥのチャネル状態に従って変調方式とチャネル符号化率とを適応的に決定する適応変調符号化（Adaptive Modulation & Coding：以下、“ＡＭＣ”と称する。）を実行する。また、ＥＮＢ１２０乃至１２８は、高速ダウンリンクパケットアクセス（High Speed Downlink Packet Access：以下、“ＨＳＤＰＡ”と称する。）、高速アップリンクパケットアクセス（High Speed Uplink Packet Access：以下、“ＨＳＵＰＡ”と称する。）、及び拡張された専用チャネル（Enhanced Dedicated Channel：以下、“Ｅ-ＤＣＨ”と称する。）のような第３世代のシステムのサービスで使用したハイブリッド自動再送要求（Hybrid Automatic Repeat Request（ARQ）：以下、“ＨＡＲＱ”と称する。）技術をＵＥ１０１とともに実行するのであろう。この際に、ＨＡＲＱ方式だけでは、様々なサービス品質（Quality of Service：ＱｏＳ）の要求を満たすことができない場合には、ＥＮＢ１２０乃至１２８及びＵＥ１０１は、上位レイヤーで別途の（Outer）ＡＲＱ技術を適用するのであろう。
【０００８】
また、ＬＴＥシステムは、２０ＭＨｚの帯域幅で直交周波数分割多重（Orthogonal  Frequency  Division  Multiplexing：以下、“ＯＦＤＭ”と称する。）方式を無線アクセス技術として使用するものと予想される。
【０００９】
図２は、本発明が適用可能な不連続受信（ＤＲＸ）インターバルを有するＵＥのスケジューリング動作を示す図である。
【００１０】
まず、ＬＴＥシステムにおいて、ＵＥの動作モードは、２種類モード、すなわち、ＲＲＣアイドルモードとＲＲＣ接続モードとに分類されることができる。ここで、ＲＲＣアイドルモードは、ＵＥコンテキスト情報及びサービスコンテキスト情報がＥＮＢに存在していない際のＵＥの状態を意味する。また、アンカーノードは、ＵＥコンテキスト情報を用いてＵＥの位置を、セル単位でないページングに対するトラッキング地域（Tracking Area）の単位で管理する。一方、ＲＲＣ接続モードは、アンカーノードだけでなく、ＥＮＢがＵＥコンテキスト情報も有しており、ＥＮＢが確立したＲＲＣ接続を有するＵＥの位置をセル単位で管理することができる状態を意味する。ここで、サービスコンテキスト情報が含まれる可能性も排除しない。
【００１１】
言い換えれば、ＲＲＣアイドルモードにある任意のＵＥ（以下、“ＲＲＣアイドルモードＵＥ”と称する。）が特定のサービスに対するデータの受信又は送信を行うためには、まず、ＲＲＣ接続をＥＮＢに確立する。この際に、ＲＲＣアイドルモードＵＥは、ＵＥコンテキスト情報をＥＮＢに提供し、アンカーノードにもシグナリング接続を確立しなければならない。また、ＵＥコンテキスト及びサービスコンテキスト情報をシグナリング接続を介してアンカーノードに提供しなければならない。その結果、ＲＲＣ接続モードにあるＵＥ（以下、“ＲＲＣ接続モードＵＥ”と称する。）は、ＥＮＢから対応する無線資源の割当てを即座に受けることができ、この割当てられた無線資源を用いて特定のサービスに対するデータの受信又は送信を行うことができる。
【００１２】
図２を参照すると、一般的なＲＲＣ接続モードＵＥは、スケジューリングチャネルを連続して受信し、このスケジューリングチャネルがＵＥ自体に関するスケジューリング情報を含んでいる場合に、ＲＲＣ接続モードＵＥは、このスケジューリングチャネルが示す対応する無線資源を介してデータの受信又は送信を行う。ここで、ＵＥは、このスケジューリングチャネルに含まれているＵＥ識別子情報（ＵＥ ＩＤ）がＵＥ自身に割り当てられた固有のＵＥ識別子情報（固有のＵＥ ＩＤ）に一致するか否かを確認し、ＵＥ自身に関するスケジューリング情報の存在を確認する。
【００１３】
一方、ＬＴＥシステムにおいて、ＲＲＣ接続モードＵＥは、自身のバッテリー電力消費を最小化するために不連続受信／送信（ＤＲＸ／ＤＴＸ）動作を実行することができる。すなわち、ＤＲＸインターバル（すなわち、サイクル）の間には、ＵＥは、データ又は制御情報と関連した何のスケジューリングチャネルも受信しない。ＵＥは、このＤＲＸインターバルの間に、その送信及び受信動作をディスエーブル（すなわち、ターンオフ）し、スリープ状態で動作する。
【００１４】
したがって、ＤＲＸインターバルを有するＲＲＣ接続モードＵＥは、スケジューリングチャネルを不連続的に受信し、ＵＥ自身に関するスケジューリング情報が存在するか否かをチェックする。例えば、ＥＮＢとＵＥとが予め約束したＤＲＸインターバルを有するＵＥは、ＤＲＸインターバルの間にスリープ状態に進入することにより電力消費を最小化する。このＤＲＸインターバルの終了の後に、ＵＥは、ウェークアップ状態（すなわち、アウェーク状態）に遷移し、スケジューリングチャネルを受信することができる。ここで、ＵＥがＤＲＸインターバルを用いてスケジューリングチャネルを不連続的に受信する動作は、（ｉ）ＤＲＸインターバルがハードコーディング方式に従って決定される動作、（ｉｉ）ＤＲＸインターバルがＤＲＸインターバル計算式のような事前の規則に従って決定される動作、及び（ｉｉｉ）ＵＥがシグナリングによりＤＲＸインターバルをＥＮＢから割り当てられる動作を含むことができる。
【００１５】
図２の参照符号２０１、２０２、２０３、及び２０４は、ＵＥがＥＮＢからスケジューリングチャネルを受信し、データ受信又は送信のためのスケジューリング情報があるか否かをチェックする時点を示す。
【００１６】
この際に、ＵＥがスケジューリングチャネルを受信し、この受信したスケジューリングチャネルがＵＥ自身に関する何のスケジューリング情報も含んでいないと、ＵＥは、ＤＲＸインターバルの間にスリープ状態にさらに遷移する。
【００１７】
例えば、スリープ状態のＵＥは、ダウンリンクを介して送信された何のチャネルも受信しない。言い換えれば、ＥＮＢは、ＵＥとのスケジューリング同期を取得するためにＵＥのためのデータを発生したとしても、ＤＲＸインターバルの間には、ＵＥのためのスケジューリングを実行しない。
【００１８】
時間２０４で、ＥＮＢがＤＲＸインターバルを有するＲＲＣ接続モードＵＥのためにスケジューリングを実行する場合に、時間２０４の後に、ＥＮＢは、ＤＲＸインターバルの適用を中止し、ＤＲＸがディスエーブルされるＲＲＣ接続モードで動作することもある。すなわち、時間２０４で、ＥＮＢがスケジューリングを開始した後に、ＥＮＢは、ＤＲＸインターバルを適用せずＵＥを継続してスケジューリングし、ＵＥは、スケジューリングチャネルを継続して受信することができる。
【００１９】
図３は、ＤＲＸインターバルを有するＵＥの測定動作を示す図である。
ＵＥは、ＤＲＸインターバルを用いて測定を実行するために電力消費を最小にすることができる。
【００２０】
ＵＥは、スケジューリングチャネルを受信する時点でデータ受信及び送信のためのスケジューリングが実行されたか否かをチェックし、この際に、ＵＥは、測定もともに実行する。したがって、ＵＥがスリープ状態に進入するＤＲＸインターバルの間に何の測定も実行しないことにより、この測定を連続的に実行する際に比べて電力消費を減少させる。
【００２１】
図３を参照すると、ＵＥは、時間３０１、３０２、３０３、３０４、及び３０５で、現在のサービングセル及び隣接セルに対して測定を実行し、ＤＲＸインターバルの間には測定を実行しない。
【００２２】
時間３０１でこの測定を実行した後に、ＵＥは、現在のサービングセルより大きいか又は同一の無線強度を有する隣接セルが存在しないことを確認する。
【００２３】
一方、時間３０２でこの測定を実行した後に、ＵＥは、このサービングセルより大きいか又は同一の無線強度を有する隣接セルが存在することを確認すると、測定報告をトリガーリングするためのカウンター又はタイマーを開始させる（すなわち、活性化させる）。この測定報告は、ＵＥがＥＮＢに無線環境の変更に関する情報を提供する動作である。この測定報告に基づいて、ＵＥは、ハンドオーバーを実行することができる。例えば、現在のサービングセルよりさらに大きい無線強度を有する隣接セルの存在を確認すると、ＵＥは、この隣接セルのセルＩＤ及び無線強度に関する情報をＥＮＢに提供する。このセルＩＤ及び無線強度を確認した後に、ＥＮＢは、ＵＥをこの隣接セルにハンドオーバーさせるか否かを決定する。また、このカウンター又はタイマーは、無線環境の頻繁な変更による頻繁な測定報告の送信を防止するために使用される。
【００２４】
一般的に、変更された無線環境に対する測定報告を設定されたカウンターの回数又は設定されたタイマーの時間の間に継続して保持しない限り、ＵＥは、この測定報告をＥＮＢに送信することができない。言い換えれば、この隣接セルがこのサービングセルより大きいか又は同一の無線強度を有する状態がこのカウンターの測定回数又はこのタイマーの時間の間に継続して保持される場合に、ＵＥは、測定報告をＥＮＢに送信する。この測定回数又は時間は、このサービングセルより大きいか又は同一の無線強度を有する隣接セルの存在を確認した直後に設定される。例えば、図３において、このカウンターは、３の値に設定される。このカウンター値は、変更され得る。したがって、時間３０２で、このサービングセルより大きい無線強度を有する隣接セルを発見すると、３０３、３０４、３０５の設定された３回の測定回数３１１の間に、この隣接セルがこのサービングセルより大きい無線強度を継続して有する場合に、ＵＥは、ステップ３２１で、測定報告をＥＮＢに送信する。
【００２５】
図３で説明した通り、ＵＥは、この測定報告をＥＮＢに実際に送信するまで長い遅延時間を有する。すなわち、頻繁な測定報告の送信を防止するための、すなわち、不必要なシグナリングオーバーヘッドを減少させるためのこのカウンター又はタイマーを適用する測定報告動作は、適切な時間にこの測定報告を実際に送信することができない。
【００２６】
したがって、正しい測定報告動作を実行することができず、適切な時間にハンドオーバーを実行することができないＵＥ及びサービングセルは、相互間の無線リンクの失敗をもたらすことができる。また、この無線リンク失敗は、ＵＥとサービングセルとの間でデータ送信／受信に必要な制御情報だけではなく実際のデータの正常の送信／受信も行わないようにする。
【００２７】
例えば、ＤＲＸインターバルの長さが５．１２秒（sec）であると仮定する場合に、ＵＥは、この隣接セルが現在のサービングセルより大きいか又は同一の無線強度を有することを確認した時間３０２からＵＥがこの測定報告を送信する時間３０５まで、総５．１２ｓｅｃ＊３ｉｎｔｅｒｖａｌｓ＝１５．３６ｓｅｃの長い遅延時間を有する測定報告動作を実行する。
【００２８】
このような長い遅延時間及びこれに従う問題が発生する理由は、図３に示すように、ＬＴＥシステムにおいて、ＵＥの測定動作が５．１２ｓｅｃのＤＲＸインターバルごとにこの測定を１回だけ実行するためである。ＵＥは、このＤＲＸインターバルの間に、無線環境の変更によりＤＲＸインターバルの間のハンドオーバーが実行されなければならないシナリオを正常に支援することができないという短所があった。
【発明の概要】
【発明が解決しようとする課題】
【００２９】
したがって、本発明は、上述した従来技術の問題点を解決するために提案されたものであり、その目的は、移動通信システムにおけるＵＥが電力消費を最小にすることにより測定報告を実行する方法及び装置を提供することにある。
【００３０】
本発明の他の目的は、移動通信システムにおける不連続受信（ＤＲＸ）又は不連続送信（ＤＴＸ）サイクルを有するＵＥの測定報告を実行する方法及び装置を提供することにある。
【課題を解決するための手段】
【００３１】
上記のような目的を達成するために、本発明の実施形態の一態様によれば、移動通信システムにおける端末機（ＵＥ）が測定を実行する方法を提供する。上記端末機は、不連続的にデータを受信する不連続受信（ＤＲＸ）モード及び連続的にデータを受信する連続受信モードを有する。また、上記通信システムは、上記端末機が位置したサービングセルと、上記サービングセルと隣接して位置した隣接セルとを含む。上記サービングセルの信号強度は、上記不連続受信モードの周期に従って測定される。上記信号強度測定は、上記測定されたサービングセルの信号強度が特定の閾値より小さいか又は同一である場合、上記サービングセル及び上記隣接セルに対して連続的に実行する。上記連続的に測定されたサービングセルの信号強度が上記特定の閾値より大きい場合、上記連続的な信号強度測定を中止し、上記不連続受信モードの周期に従って上記サービングセルの信号強度を測定することを特徴とする。
【００３２】
本発明の実施形態の他の態様によれば、移動通信システムにおける端末機（ＵＥ）が測定を実行する方法を提供する。上記端末機は、不連続的にデータを受信する不連続受信（ＤＲＸ）モード及び連続的にデータを受信する連続受信モードを有する。また、上記通信システムは、上記端末機が位置したサービングセルと、上記サービングセルと隣接して位置した隣接セルとを含む。上記サービングセルの信号強度は、上記不連続受信モードの周期に従って測定される。上記信号強度測定は、上記測定されたサービングセルの信号強度が特定の閾値より小さいか又は同一である場合、上記サービングセル及び上記隣接セルに対して連続的に実行する。タイマーは、上記連続的に測定された隣接セルの信号強度が上記連続的に測定されたサービングセルの信号強度より大きいか又は同一であると、測定結果を上記サービングセルに送信するために開始される。上記測定結果は、上記タイマーが終了されるまで上記隣接セルの信号強度が上記サービングセルの信号強度より大きいか又は同一であると、上記サービングセルに送信されることを特徴とする。
【００３３】
本発明の実施形態のさらに他の態様によれば、移動通信システムにおける端末機（ＵＥ）が測定を実行する方法を提供する。上記端末機は、不連続的にデータを受信する不連続受信（ＤＲＸ）モード及び連続的にデータを受信する連続受信モードを有する。また、上記通信システムは、上記端末機が位置したサービングセルと、上記サービングセルと隣接して位置した隣接セルとを含む。上記サービングセル及び上記隣接セルの信号強度は、不連続受信モードの周期に従って測定される。上記信号強度測定は、上記測定されたサービングセル及び前記隣接セルの信号強度間の差が特定の閾値より小さいか又は同一である場合、上記サービングセル及び上記隣接セルに対して連続的に実行する。上記連続的に測定されたサービングセル及び上記隣接セルの信号強度間の差が上記特定の閾値より大きい場合、上記連続的な信号強度測定を中止し、上記不連続受信モードの周期に従って上記サービングセル及び上記隣接セルに対して信号強度測定を実行することを特徴とする。
【００３４】
本発明の実施形態のさらなる他の態様によれば、端末（ＵＥ）装置は、移動通信システムにおける効率的な測定を実行するために提供される。上記端末は、不連続的にデータを受信する不連続受信（ＤＲＸ）モード及び連続的にデータを受信する連続受信モードを有する。また、上記移動通信システムは、上記端末機が位置したサービングセルと、上記サービングセルと隣接して位置した隣接セルとを有する。端末装置は、制御情報及びデータを送受信する送受信機と、上記不連続受信モードの周期を制御するＤＲＸモード制御部とを含む。また、端末装置は、上記測定されたサービングセルの信号強度を測定し、上記測定されたサービングセルの信号強度に従って、上記サービングセルの信号強度の測定周期を制御する測定部を含むことを特徴とする。
【発明の効果】
【００３５】
本発明の実施形態は、ＤＴＸ／ＤＲＸ動作を支援するＵＥが最小の電力消費で測定報告を実行するようにする。すなわち、本発明の実施形態は、ＵＥの測定報告のための最小の電力消費を提供する。
【００３６】
また、本発明の実施形態は、あらかじめ定められた測定周期ではない可変的な測定周期を用いて測定動作を実行することにより、実時間に基づいて変更されるチャネル環境状態を実時間で反映する長所を提供する。さらに、本発明の実施形態は、ＵＥの測定報告に対する送信遅延を最小にすることにより、ＵＥのチャネル環境を迅速にＥＮＢに通知するようにする。したがって、本発明の実施形態は、測定報告を適切に実行することにより、ＥＮＢとの正常化された無線リンクを保持するという長所を有する。
【図面の簡単な説明】
【００３７】
【図１】本発明が適用可能なＬＴＥシステムの構成を示す図である。
【図２】本発明が適用可能な不連続受信（ＤＲＸ）インターバルを有するＵＥのスケジューリング動作を示す図である。
【図３】ＤＲＸインターバルを有するＵＥの測定動作を示す図である。
【図４】本発明の一実施形態による可変的なＤＲＸインターバルを有するＵＥの測定動作を示す図である。
【図５】本発明の実施形態によるＵＥの測定動作を示す図である。
【図６】本発明の実施形態によるＵＥ装置の構成を示すブロック図である。
【発明を実施するための形態】
【００３８】
以下、本発明の好適な一実施形態を、添付図面を参照しつつ詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。
【００３９】
本発明の実施形態が第３世代のシステムから進化したＬＴＥシステムの一例を挙げて説明するが、本発明の実施形態は、基地局（ＥＮＢ）スケジューリングが適用されるすべての移動通信システムに、別の変形をすることなく適用されることができる。
【００４０】
本発明の実施形態は、ＬＴＥシステムにおいて、ＵＥの測定報告を定義し、特に不連続送信又は不連続受信（ＤＴＸ又はＤＲＸ）動作を実行することにより、電力消費を最小化しつつ測定報告を実行するＵＥの動作を定義する。すなわち、本発明の実施形態は、この測定報告の信頼性を最大にし、この電力消費を最小にするＵＥ測定報告方式を提供する。
【００４１】
本発明の実施形態において、ＵＥは、ＤＲＸインターバルと同一の測定周期を用いて現在のサービングセルに対する測定結果をネットワークにシグナリングし、この現在のサービングセルに対する測定結果が特定の閾値より小さい場合に、連続的に又はこのＤＲＸインターバルより短い時間間隔で測定を実行する。ここで、この測定結果が測定報告を送信するための条件を満足する場合に、ＵＥは、対応する測定報告をネットワークに送信する。
【００４２】
ＵＥは、連続的に又はこのＤＲＸインターバルより短い時間間隔でこの測定を実行する間に、測定報告を送信するためにカウンター又はタイマーを適用する。この現在のサービングセルに対する測定結果がこの特定の閾値より連続的に大きくなる場合に、このカウンター又はこのタイマーを適用するＵＥは、さらにＤＲＸインターバルと同一の測定周期を用いた測定を実行する。すなわち、ＵＥは、前のＤＲＸインターバル測定動作に戻る。
【００４３】
本発明は、ＵＥがこの現在のサービングセルに対する測定結果をこの特定の閾値と比較する実施形態について説明しているが、ＵＥがこの現在のサービングセルに対する測定結果をハンドオーバーのための候補セルに対する測定結果と比較する他の実施形態にも適用されることができる。
【００４４】
本発明の実施形態において、ＤＲＸインターバルの周期でＤＴＸ／ＤＲＸ動作を実行するＵＥが、ＤＲＸインターバルに合せて測定動作を実行し、この測定結果、すなわち、この現在のサービングセルの無線強度が特定の閾値より大きい場合に、ＵＥは、このＤＲＸインターバルの周期でこの測定を継続して実行する。ここで、ＵＥは、ＥＮＢからシグナリングされた閾値を受信することができ、又は、この閾値は、１つの固定された値としてハードコーディングされることができる。
【００４５】
しかしながら、ＤＲＸインターバルに合せて測定を実行した結果として、このサービングセルの無線強度がこの特定の閾値より小さいか又は同一である場合に、ＵＥは、ＤＲＸインターバルに合せて、測定をこれ以上実行せずに連続的に測定を実行する。連続的な測定を実行する間に、このサービングセルの無線強度がこの閾値より大きいか又は同一である場合に、ＵＥは、さらにＤＲＸインターバルに合せてこの測定を実行する。
【００４６】
連続的な測定を実行する間に、この現在のサービングセルより大きいか又は同一の隣接セルが検出されると、ＵＥは、この測定報告をトリガーリングするためのカウンター又はタイマーを開始させる。このカウンター又はこのタイマーが終了されるまで、この隣接セルがこの現在のサービングセルより大きいか又は同一の無線強度を連続的に保持する場合に、ＵＥは、測定報告をＥＮＢに送信する。しかしながら、このカウンター又はこのタイマーが終了される前でさえも、この現在のサービングセルの無線強度がこの特定の閾値より大きいか又は同一であると、ＵＥは、ＤＲＸインターバルに合せて測定をさらに実行することができる。
【００４７】
本発明の実施形態は、ＤＲＸインターバルに合せて測定を実行する際にこのサービングセルのみに対して測定を実行し、ＤＲＸインターバルに合せず連続的に測定を実行するときにだけサービングセルだけでなく隣接セルに対しても測定を実行することができる。また、本発明の実施形態は、このサービングセルの無線強度がこの閾値より小さいか又は同一であるため、ＤＲＸインターバルに合せずに測定を実行する際に、連続的に測定を実行する代わりに、短い周期でこの測定を頻繁に実行することができる。さらに、本発明の実施形態は、このサービングセルの無線強度をこの閾値と比較する代わりに、このサービングセルとこの隣接セル間の無線強度差の値を、この閾値と比較することができる方式を含む。
【００４８】
図４は、本発明の一実施形態によるＤＲＸインターバルを有するＵＥの測定動作を示す図である。
【００４９】
図４を参照すると、時間４０１で、ＵＥは、ＤＲＸインターバルに合せてサービングセルに対する測定を実行する。時間４０１での測定結果、すなわち、このサービングセルの無線強度が特定の閾値ＴＨＲＥＳより大きいか又は同一であると、ＵＥは、ＤＲＸインターバルの終了の後に、次のスケジューリングチャネルを受信する時間４０２でこのサービングセルに対する測定を実行する。すなわち、ＵＥは、ＤＲＸインターバルの間には測定を実行しない。ここで、ＵＥは、ＥＮＢから専用シグナリングされるか又はブロードキャストされるシステム情報のような共通シグナリングを介してシグナリングされた特定の閾値ＴＨＲＥＳを受信することができる。あるいは、この特定の閾値ＴＨＲＥＳは、１つの固定された値としてハードコーディングされ得る。
【００５０】
時間４０２での測定結果、すなわち、このサービングセルの無線強度がこの特定の閾値より小さいか又は同一である場合、ＵＥは、このサービングセル及び隣接セルに対して測定を連続的に実行するか、又はこのＤＲＸインターバルの周期より短い時間間隔の周期を用いて、すなわち、頻繁にこのサービングセル及びこの隣接セルに対する測定を実行する。ここで、ＵＥがこの短い時間間隔の周期を用いてこのサービングセル及びこの隣接セルに対する測定を頻繁に実行する場合に、ＵＥは、専用シグナリング又は共通シグナリングを介してＥＮＢからシグナリングされた短い時間間隔情報を受信する。この共通シグナリングは、ブロードキャストされたシステム情報を受信する動作を意味する。あるいは、この短い時間間隔情報は、１つの固定された値としてハードコーディングされ得る。
【００５１】
時間４０２からこのサービングセル及びこの隣接セルに対して、連続的に又は短い時間間隔の周期を用いて測定を実行する間に、時間４１１で、このサービングセルの無線強度がこの閾値より大きいか又は同一であると、ＵＥは、連続的に又は短い時間間隔の周期を用いて頻繁に実行した測定を中止する。また、ＵＥは、このＤＲＸインターバルの間に測定を実行せず、時間４０３でこのサービングセルのみに対して測定を実行する。すなわち、このサービングセルがよいチャネル状態を有する場合に、ＵＥは、ＤＲＸインターバルの周期、すなわち、スケジューリングチャネルを受信するために起動するＤＲＸインターバルの周期で測定を実行する。
【００５２】
時間４０３での測定結果、すなわち、このサービングセルの無線強度がこの特定の閾値より大きいか又は同一であると、ＵＥは、ＤＲＸインターバルの間の測定を実行せず、次のスケジューリングチャネルを受信するために起動する時間４０４で、このサービングセルのみに対して測定を実行する。時間４０４での測定結果、すなわち、このサービングセルの無線強度がこの閾値より小さいか又は同一である場合、ＵＥは、連続的に又は短い時間間隔の周期を用いて頻繁にサービングセル及び隣接セルに対する測定を実行する。この際に、この短い時間間隔の周期で測定を実行する間に、時間４２１でこのサービングセルより大きいか又は同一の無線強度を有する隣接セルを検出すると、ＵＥは、この測定報告の送信を決定するためのカウンター又はタイマーの駆動を開始する。
【００５３】
この際に、この隣接セルが時間４３１で設定されたカウンターの測定回数又はタイマーの時間の間に、このサービングセルより大きいか又は同一の無線強度を継続して保持すると、時間４４１で、ＵＥは、測定報告をＥＮＢに送信する。時間４４１で送信された測定報告は、ＵＥの無線環境に関する状態情報と、この隣接セルのセルＩＤ情報と、この測定結果値である無線強度とを含むことができる。また、設定されたカウンター又はタイマーの間に実行されたＭ回の中でＮ又はそれ以上の回数に対する測定結果が、時間４２１での無線環境、すなわち、この隣接セルがこのサービングセルより大きいか又は同一の無線強度を保持する場合に、時間４４１でのＵＥの測定報告の送信は、この測定報告を送信するように定義されることができる。
【００５４】
一方、ＵＥがこのカウンターの設定された回数Ｍ又はこのタイマーの設定された時間Ｔの間に無線環境を継続して保持しないと測定報告を送信することができない場合において、インターバル４３１の間にこの隣接セルの無線強度がこのサービングセルより小さいか又は同一である場合に、ＵＥは、このカウンター又はこのタイマーの動作を取り消す（すなわち、ディスエーブルする）。
【００５５】
時間間隔４３１の間のこのサービングセルに対する測定結果が、この特定の閾値ＴＨＲＥＳより大きいか又は同一である場合に、ＵＥは、連続的に又は短い時間間隔の周期を用いて頻繁に実行したサービングセル及び隣接セルに対する測定を中止し、インターバル４３１が属しているＤＲＸインターバルの間には測定を実行しない。そして、次のスケジューリングチャネルを受信するために起動する時点で、このサービングセルのみに対して測定を実行することができる。
【００５６】
また、インターバル４３１のカウンター又はタイマーは、ＥＮＢにより異なる方式で設定されることができる。例えば、ＥＮＢは、この隣接セルの無線強度がこのサービングセルの無線強度に対してＡｌｐｈａ（≧０）の範囲内に進入するか又は外れるか、あるいはこの隣接セルの無線強度が絶対的な特定の無線強度に対してＡｌｐｈａ（≧０）の範囲内に進入するか又は外れるかによってこのカウンター又はこのタイマーを設定した後に、この設定結果をＵＥにシグナリングする。この設定された範囲は、ＥＮＢで専用シグナリングされるか又はブロードキャストされるシステム情報のような共通シグナリングを介して送信されることができる。したがって、ＵＥは、時間４２１での無線環境がこのシグナリングされた設定結果と一致すると、インターバル４３１のカウンター又はタイマーの駆動を開始する。
【００５７】
図５は、本発明の実施形態によるＵＥの測定動作を示す図である。
【００５８】
図５を参照すると、ステップ５０１で、ＵＥは、ＲＲＣ接続モード状態にあり、ＤＲＸインターバルの周期でＤＴＸ／ＤＲＸ動作を実行する。ステップ５０３で、ＵＥは、ＤＲＸインターバルの周期でサービングセルに対する測定を実行する。すなわち、ＵＥは、スケジューリングチャネルを受信するために起動する時点で、サービングセルに対する測定を実行する。これは、ＤＲＸインターバルの間には測定を実行しないことを意味する。したがって、ＵＥは、このスケジューリングチャネルを連続的に受信する必要がないため、電力消費の観点で高い効率を有する。
【００５９】
ステップ５０５で、ＵＥは、ステップ５０３の測定結果、すなわち、このサービングセルの無線強度が特定の閾値ＴＨＲＥＳより大きいか又は同一であるかをチェックする。ここで、この特定の閾値は、ＵＥがＥＮＢから専用シグナリングされるか又はブロードキャストされるシステム情報のような共用シグナリングを介して受信した値である。あるいは、この特定の閾値は、１つの値をハードコーディングすることにより得られた固定された値である。
【００６０】
ステップ５０５での測定結果の判定値がＹＥＳである場合には、ＵＥは、ステップ５０３に進み、ＤＲＸインターバルの周期に従って、サービングセルに対する測定を実行する。他方、ステップ５０５での測定結果の判定値がＮＯである場合には、ＵＥは、ステップ５１１に進み、連続的に又はＤＲＸインターバル周期より短い時間間隔の周期を用いて、このサービングセル及びこの隣接セルに対する測定を実行する。
【００６１】
ＵＥがステップ５１１で測定を実行する間に、ステップ５１３で、このサービングセルの無線強度がこの特定の閾値より大きいか又は同一であると、ＵＥは、連続的に又は短い時間間隔の周期を用いて実行したこのサービングセル及びこの隣接セルに対する測定を中止した後に、ステップ５０３に進む。すなわち、このサービングセルの無線強度が増加すると、ＵＥは、ＤＲＸインターバルの周期でサービングセルに対する測定だけを実行する。
【００６２】
他方、このサービングセルの無線強度がこの特定の閾値より小さいと、ステップ５２１を継続して実行する。ＵＥがステップ５１１を実行する間に、ステップ５２１で、この隣接セルの無線強度がこのサービングセルの無線強度より大きいか又は同一であると、ＵＥは、ステップ５２３に進み、測定報告の送信のためのカウンター又はタイマーの駆動を開始する。ＵＥは、このカウンター又はこのタイマーに対する値を受信することができ、ＥＮＢから専用シグナリングされるか又はブロードキャストされるシステム情報のような共用シグナリングを介してシグナリングされたこのカウンター又はこのタイマーの値を受信することができる。
【００６３】
ステップ５２５で、このカウンター又はこのタイマーの終了の前に、サービングセルの無線強度が閾値ＴＨＲＥＳより大きいか又は同一であるという測定結果を確認すると、ＵＥは、ステップ５３１に進み、このカウンター又はこのタイマーの動作を取り消す。その後に、ＵＥは、ステップ５０３に進み、ＤＲＸインターバルの周期でサービングセルに対する測定を実行する。また、ＵＥがステップ５１１を実行する間に、ステップ５２１の条件が発生しないと、ＵＥは、ステップ５１１に進み、連続的に又は短い時間間隔の周期を用いて頻繁にサービングセル及び隣接セルに対する測定を実行する。
【００６４】
一方、ステップ５２３で開始したこのカウンター又はこのタイマーがステップ５４１で終了されるまで、ステップ５２１での測定結果、すなわち、この隣接セルの無線強度がこのサービングセルの無線強度より大きいか又は同一である場合を連続的に保持すると、ＵＥは、ステップ５４３に進み、測定報告をＥＮＢに送信する。この測定報告は、この無線環境に対する識別子と、この隣接セルの識別子と、測定結果値とを含むことができる。
【００６５】
ステップ５４１で、このカウンター又はこのタイマーが終了される前に、ステップ５２１の無線環境が変更される場合、例えば、サービングセルの無線強度がこの隣接セルの無線強度より大きいか又は同一である場合において、ステップ５２１で、隣接セルでない他の隣接セルの無線強度がステップ５２１でサービングセル及び隣接セルの無線強度より大きいか又は同一である場合に、ＵＥは、ステップ５４５に進み、動作中であるカウンター又はタイマーの駆動を取り消す。その後に、ＵＥは、ステップ５１１に進み、このサービングセル及びこの隣接セルに対する測定を、連続的に又は短い時間間隔の周期を用いて頻繁に実行する。
【００６６】
図６は、本発明の実施形態によるＵＥ装置の構成を示すブロック図である。
【００６７】
図６を参照すると、制御部６１１は、ＵＥがスケジューリングチャネルを受信するタイミングを制御する。すなわち、制御部６１１は、ＵＥがＤＲＸインターバルの周期を用いてＤＲＸ／ＤＴＸ動作を実行するように制御するＤＲＸ実行制御部を示す。
【００６８】
制御部６１１は、ＵＥがＤＲＸインターバルの間にスリープ状態で動作するように、すなわち、送受信部６２１をディスエーブルするように送受信部６２１を制御し、このＤＲＸインターバルが終了されたスケジューリング時点ではアウェイク状態に遷移するように、すなわち、送受信部６２１をイネーブルするように制御する。
【００６９】
制御部６１１の制御の下で、送受信部６２１は、スケジューリング時点でスケジューリングチャネルを受信し、ＥＮＢから割り当てられた任意の無線資源があるか否かをチェックする。送受信部６２１は、スケジューリング時点でＥＮＢと制御情報又はデータを送受信する。
【００７０】
本発明によると、制御部６１１は、測定実行制御部６５１の入力パラメータを用いて送受信部６２１を制御する。すなわち、制御部６１１は、ＤＲＸ動作に従ってＤＲＸインターバルの間に測定を実行せずに、スケジューリングチャネルを受信するためのスケジューリング時点で、サービングセルのみに対して測定を実行するように測定実行制御部６５１を制御する。
【００７１】
参照までに、本発明がＤＲＸインターバルを５．１２ｓｅｃと仮定したが、これは、ＤＲＸインターバルの長さを５．１２ｓｅｃに限定しない。すなわち、本発明の実施形態は、無線チャネル環境及びシステム性能の効率性を考慮して、さらに長いインターバル又はさらに短いインターバルを使用することができる。言い換えれば、このＤＲＸインターバルの長さは、システム環境に従って可変的に設定されることができる。
【００７２】
測定実行制御部６５１は、このスケジューリング時点で、測定のためのパイロットチャネルを受信するように送受信部６２１を制御する。測定実行部６３１は、測定実行制御部６５１の制御の下で、サービングセルのパイロットチャネル又はサービングセル及び隣接セルのパイロットチャネルに対して測定を実行する。
【００７３】
測定結果管理部６４１は、測定実行部６３１の測定結果を管理し格納する。例えば、このサービングセルの無線強度を判定するための特定の閾値ＴＨＲＥＳと、測定報告のために設定されるカウンター又はタイマーのようなパラメータを管理し格納する。したがって、測定結果管理部６４１は、このパラメータを用いて無線環境の変化を検出する。ここで、この特定の閾値は、ＵＥがＥＮＢから専用シグナリングされるか又はブロードキャストされるシステム情報のような共用シグナリングを介して受信した値である。あるいは、この特定の閾値は、１つの値をハードコーディングすることにより得られた固定された値である。同様に、ＵＥは、ＥＮＢから専用シグナリングされるか又はブロードキャストされるシステム情報のような共用シグナリングを介してシグナリングされたカウンター又はタイマーの値を受信することができる。ここで、このカウンター又はタイマーの値は、ＥＮＢの容量に従って異なる方式で設定されることができる。
【００７４】
測定報告生成部６６１は、測定結果管理部６４１における無線環境の重要な変化により測定報告をＥＮＢに送信する必要がある場合には、測定報告メッセージを生成する。この測定報告メッセージは、送受信部６２１によりＥＮＢに送信される。
【００７５】
一方、このサービングセルの無線強度がこの閾値より小さいか又は同一であることを測定結果管理部６４１の測定結果から判定される場合には、測定実行制御部６５１は、この測定結果を制御入力パラメータと見なし、このサービングセルだけでなく隣接セルに対する測定周期をＤＲＸインターバルの周期とは異なるように、連続的に又は短い時間間隔の周期を用いて測定を頻繁に実行するように制御する。すなわち、測定実行制御部６５１は、送受信部６２１を制御することにより、スケジューリング時点でパイロットチャネルを連続的に受信するか、又はＤＲＸインターバルの周期より短い時間間隔の周期でパイロット信号を受信するように送受信部６２１を制御する。
【００７６】
したがって、測定実行部６３１は、連続的に又は短い時間周期で受信されたサービングセル又は隣接セルのパイロットチャネルを測定し、測定結果管理部６４１は、測定実行部６３１の測定結果を確認し管理する。この測定結果に従うと、測定報告生成部６６１は、測定報告メッセージを生成する。
【００７７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７８】
６１１・・・ＤＲＸ実行制御部
６２１・・・送受信部
６３１・・・測定実行部
６４１・・・測定結果管理部
６５１・・・測定実行制御部
６６１・・・測定報告生成部
【図１】
2010512098.tif 000003
【図２】
2010512098.tif 000004
【図３】
2010512098.tif 000005
【図４】
2010512098.tif 000006
【図５】
2010512098.tif 000007
【図６】
2010512098.tif 000008
【国際調査報告】
2010512098.tif 000009
2010512098.tif 000010